(57)【要約】【課題】  キャリッジからヘッドを取り外した状態における輸送時において、キャリッジの走査方向の移動を固定する。【解決手段】  キャリッジからヘッドを取り外すことにより、キャリッジに軸支されているロックアームがロックアームを付勢しているバネにより作動し、ベルトがロックアームとキャリッジとに挟まれ固定される。これにともない、キャリッジの走査方向の移動が確実に固定される。【選択図】        図１
2006205494.tif 000002
【特許請求の範囲】
【請求項１】
着脱可能なヘッドが搭載されるキャリッジをもつインクジェット記録装置において、
前記キャリッジから前記ヘッドが取り外されると、前記キャリッジに軸支されているロックアームが前記ロックアームを付勢しているバネにより作動して、
キャリッジの走査方向の移動が固定されることを特徴としたインクジェット記録装置。
【請求項２】
前記ロックアームが、前記キャリッジとで、前記キャリッジを走査方向に移動させるベルトを挟むことにより、キャリッジの走査方向の移動が固定されることを特徴とする請求項１に記載のインクジェット記録装置。
【請求項３】
前記ロックアームが、前記インクジェット記録装置の枠組みを構成しているフレームの穴部に挿入されることにより、キャリッジの走査方向の移動が固定されることを特徴とする請求項１に記載のインクジェット記録装置。
【請求項４】
キャリッジを走査方向に固定される位置が、ヘッド交換ポジションであることを特徴とする請求項１に記載のインクジェット記録装置。
【発明の詳細な説明】
【技術分野】
【０００１】
本発明はインクジェット記録装置に関するものであり、さらには、ヘッドを取り外したキャリッジの走査方向の固定に関するものである。
【背景技術】
【０００２】
従来、特許文献１や特許文献２により提案された記録装置のように、記録装置の輸送時にキャリッジを固定するために、固定部材を用いて固定する方法の技術が公開されていた。
【０００３】
また、従来のインクジェット記録装置は、メーカ工場から販売店を通してユーザまでに渡る出荷時、及びユーザによる移動時においては、キャリッジからヘッドを外して輸送移動する方法がとられていた。
【特許文献１】特開平５−４４３３号公報
【特許文献２】特開平７−２３７６１２号公報
【発明の開示】
【発明が解決しようとする課題】
【０００４】
しかしながら従来のインクジェット記録装置によると、輸送移動する時にヘッドをキャリッジから外したうえで、普段の画像形成使用時は不要となる固定部材を用いてキャリッジを固定していたため、この固定部材を紛失してしまうことがあった。
【０００５】
本発明の目的は、上記従来技術の課題を解決し、キャリッジに着脱可能に搭載されたヘッドを取り外された状態での輸送時に、キャリッジを確実に固定できるインクジェット記録装置を提供することにある。
【課題を解決するための手段】
【０００６】
本発明は前記問題を解消するための手段として下記の構成をとる。
【０００７】
インクジェット記録装置において、キャリッジから着脱可能のヘッドを取り外すことにより、キャリッジに軸支されているロックアームがロックアームを付勢しているバネにより作動し、ロックアームとキャリッジとで、キャリッジを走査方向に移動させるベルトを挟み固定する。ことにより、ヘッドを取り外せる位置において、キャリッジの走査方向の移動が固定できる。
【０００８】
なお、さらに説明すれば、本発明の第一の発明について下記のように示す。
【０００９】
（１）着脱可能なヘッドが搭載されるキャリッジをもつインクジェット記録装置において、前記キャリッジから前記ヘッドが取り外されると、前記キャリッジに軸支されているロックアームが前記ロックアームを付勢しているバネにより作動して、キャリッジの走査方向の移動が固定されることを特徴としたインクジェット記録装置。
【発明の効果】
【００１０】
本発明にかかるインクジェット記録装置の構成によれば、以下のような効果が得られる。
【００１１】
キャリッジから着脱可能のヘッドを取り外すことにより、キャリッジの走査方向の移動が確実に固定されることにより、インクジェット記録装置の梱包状態での輸送や装置単体での移動時に、落下などの衝撃が与えられても、キャリッジやヘッドの破損、ベルト外れなど故障の要因となる問題が発生を防ぐことができる。
【００１２】
また、キャリッジ固定用部材などが要らないうえに、紛失の心配もなく、そして、キャリッジの固定部材が、ロックアームとロックアームを付勢しているバネの２部品で構成されるため、構成が簡易で、低コストで実現できる。
【００１３】
本発明は、以上の効果をもつインクジェット記録装置を提供する。
【発明を実施するための最良の形態】
【００１４】
以下図面を参照しながら、本発明の実施の形態について詳細に説明する。
【実施例１】
【００１５】
図１は本発明の第１実施形態によるインクジェット記録装置の全体構成を示す斜視図でキャリッジ１から、ヘッド２（図４参照）を取り外した状態である。
【００１６】
図２は、図１の本発明の第１実施形態によるインクジェット記録装置の全体構成を示す側面図である。
【００１７】
図４は本発明の第１実施形態によるインクジェット記録装置の全体構成を示す斜視図でキャリッジ１に、ヘッド２を搭載した状態である。
【００１８】
図５は、図４の本発明の第１実施形態によるインクジェット記録装置の全体構成を示す側面図である。
【００１９】
図１、図２及び図４、図５にそって、説明する。
【００２０】
インクにより記録用紙に記録を行う着脱可能なヘッド２を保持するキャリッジ１が、記録装置に組み込まれた不図示のフレームに両端部が固定され配置されたガイドシャフト４に案内されて、矢印Ａ及び矢印Ｂ方向の記録用紙の面に平行である主走査方向に摺動自在に支持されている。
【００２１】
また、不図示のフレームに固定されているキャリッジモータ６とアイドラプーリ７との間に、ガイドシャフト４と平行な方向にベルト５が掛けられている。そのベルト５の一箇所にキャリジ１が固定されている。よって、キャリッジモータ６を駆動することで、ベルト５を介して、キャリッジ１がガイドシャフト４に沿った方向に往復移動する構成になっている。
【００２２】
ヘッド２は、キャリッジ１の左右両側面設けられた穴部１ａを中心に回動自在に軸支されているヘッドロックレバー３により、キャリッジ１に固定されている。
【００２３】
ロックアーム８は、キャリッジ１の側面に設けられた軸１ｂに穴部８ａ部が軸支され、矢印Ｃ及び矢印Ｄ方向に回動する。
【００２４】
さらには、ロックアーム８のフック部８ｂとキャリッジ１のフック部１ｃの間には、ロックアームバネ９が掛けられていて、矢印Ｅの方向に引っ張る力が発生している。
【００２５】
このため、ロックアーム８は、穴部８ａ（軸部１ｂ）を中心に、矢印Ｄ方向に回動する力が常に発生されている。
【００２６】
ここで、キャリッジ１にヘッド２が搭載されている状態（図４、図５）と、キャリッジ１からヘッド２が取り外されている状態（図１、図２）とを説明する。
【００２７】
図４及び図５において、キャリッジ１にヘッド２が搭載されると、ロックアーム８は、ロックアームバネ９による矢印Ｄ方向の力に反して、ロックアーム８の一方側の腕から伸びているレバー部８ｃが、ヘッド２により矢印Ｆ方向に押し下げられ、矢印Ｃ方向に回動する状態で保持される。この時、ロックアーム８のもう一方側の腕から伸びている、レバー部８ｄは、どこにも接触していない状態になる。
【００２８】
よって、キャリッジ１は、キャリッジモータ６の力により、ベルト５を介して、走査方向矢印Ａ及び矢印Ｂ方向に、自在に移動できる状態である。
【００２９】
図１及び図２において、キャリッジ１からヘッド２がヘッド交換ポジションで取り外されると、ロックアーム８は、ロックアームバネ９により矢印Ｄ方向に回動する。
【００３０】
この時、ロックアーム８のもう一方側の腕から伸びている、レバー部８ｄは、ベルト５を押し下げる状態になる。
【００３１】
この状態を、キャリッジ１の背面側より詳細に表したのが図３である。
【００３２】
ロックアーム８のレバー部８ｄのベルト５に当たる下面８ｅは、角部形状になつており、ベルト５の押し下げ部分５ａに食い込み、ベルト５を押し下げる。
【００３３】
この時、ベルト５は、キャリッジ１に設けられたベルト勘合部１ｄと、ロックアーム８のベルト５に当たるレバー部８ｄの下面８ｅとに挟まれる。
【００３４】
よって、ベルト５がロックアーム８とキャリッジ１に挟まれ固定されるため、キャリッジ１の走査方向の移動が、固定された状態となる。
【実施例２】
【００３５】
実施例２は、キャリッジの構成は、実施例１と同様で、キャリッジからヘッドがヘッド交換ポジションで取り外されると、ロックアームは、ロックアームバネにより回動する。
【００３６】
この時、ロックアームのもう一方側の腕から伸びている、レバー部は、実施例１と異なりベルトとは接触せず、記録装置の枠組みを構成しているフレームに設けられている、穴部に挿入される構成をしたもので、これにより、キャリッジの走査方向の移動が、固定された状態となる。
【図面の簡単な説明】
【００３７】
【図１】本発明の第１実施形態によるインクジェット記録装置の全体構成を示す斜視図で、キャリッジからヘッドを取り外した状態の図
【図２】本発明のインクジェット記録装置の全体構成を示す側面図で、キャリッジからヘッドを取り外した状態の図
【図３】本発明のキャリッジの背面側詳細図で、ロックアームとキャリッジにベルトが挟まれ固定された状態の図
【図４】本発明の第１実施形態によるインクジェット記録装置の全体構成を示す斜視図で、キャリッジにヘッドを搭載した状態した状態の図
【図５】本発明のインクジェット記録装置の全体構成を示す側面図で、キャリッジにヘッドを搭載した状態した状態の図
【符号の説明】
【００３８】
１    キャリッジ
２    ヘッド
５    ベルト
８    ロックアーム
９    ロックアームバネ
【図１】
2006205494.tif 000003
【図２】
2006205494.tif 000004
【図３】
2006205494.tif 000005
【図４】
2006205494.tif 000006
【図５】
2006205494.tif 000007